(57)【特許請求の範囲】
【請求項１】
河川護岸工事の根固めに用いられる根固用ブロックであって、
プレキャストコンクリートよりなり、
掘削後に残る、護岸ブロックと川床との間の断面が逆台形形状の根固め部分を塞ぐ形状を有する控壁と、
前記控壁に接続され、前記護岸ブロックに対向する前記川床の側面に沿う形状を有する第１側壁とを備えた、根固用ブロック。
【請求項２】
前記控壁に接続され、前記側面に対向する前記護岸ブロックの外面に沿う形状を有する第２側壁を更に備えた、請求項１記載の根固用ブロック。
【請求項３】
前記控壁は、一対設けられる、請求項１又は請求項２記載の根固用ブロック。
【請求項４】
前記根固用ブロックを構成する部分には、貫通穴が形成される、請求項１から請求項３のいずれかに記載の根固用ブロック。
【請求項５】
前記第１側壁の上辺の一部が切り欠かれる、請求項１から請求項４のいずれかに記載の根固用ブロック。
【発明の詳細な説明】
【技術分野】
【０００１】
この発明は根固用ブロックに関し、特に、河川護岸工事の根固めに用いられる根固用ブロックに関するものである。
【背景技術】
【０００２】
図１７は従来の河川護岸を示す概略断面図である。
【０００３】
図を参照して、河川の川床６と川岸７とを掘削したスペースに護岸ブロック２１が設置されている。護岸ブロック２１は複数積み重ねるように設置されており、その法尻部（下部）には基礎コンクリート３１が基礎砕石や均しコンクリート３２を介して設置されている。又、護岸ブロック２１の後方側には裏打コンクリート２４が設置されており、更に裏打コンクリート２４の後方側には裏込砕石２５が設置されている。そして、掘削された川床６の側面と護岸ブロック２１との間の、断面視が逆台形断面形状の部分には、埋戻し土３４が締固められた状態で設置されている。
【０００４】
このような河川護岸においては、埋戻し土３４は締固められた状態になっているが、元の地盤に比べると緩い状態となっているため、流水や水流、濁流などによって徐々に洗掘されてしまう。従って、護岸ブロック２１が崩壊する虞がある。そのため、例えば布団籠による根固め等、種々の河川護岸の根固め方法が提案されている。
【０００５】
図１８は布団籠によって根固めされた河川護岸を示す概略断面図である。
【０００６】
尚、説明に当たっては、基本的には図１７で示したものと同一であるため、その相違点を中心に説明する。
【０００７】
図を参照して、この河川護岸にあっては、埋戻し土３４の上方部分に、割石等が投入された布団籠８１が設置されている。そして、布団籠８１内に設置された割石等は、河川によって洗掘される虞が無いため、川床６と護岸ブロック２１との間の掘削した部分が洗掘される虞が低減する。従って、布団籠８１が護岸ブロック２１の根固めとなるため、護岸ブロック２１の崩壊が防止される。
【発明の概要】
【発明が解決しようとする課題】
【０００８】
上記のような従来の根固め方法では、それなりの効果はあるが、護岸ブロックを確実に保護するものとはなっていなかった。即ち、布団籠部分を除く埋戻し土の上方部分が河川に直接接してしまうため、この部分が洗掘されてしまい、護岸ブロックを崩壊させる虞が有った。
【０００９】
そして、根固め効果を向上させるべく、護岸ブロックと川床の側面との間にブロックや捨石等を敷き詰める方法も提案されているが、これらの方法は手間が掛かるものであり、施工効率の悪いものであった。
【００１０】
この発明は、上記のような課題を解決するためになされたもので、根固め効果の信頼性が高く、施工効率の良い根固用ブロックを提供することを目的とする。
【課題を解決するための手段】
【００１１】
上記の目的を達成するために、請求項１記載の発明は、河川護岸工事の根固めに用いられる根固用ブロックであって、プレキャストコンクリートよりなり、掘削後に残る、護岸ブロックと川床との間の断面が逆台形形状の根固め部分を塞ぐ形状を有する控壁と、控壁に接続され、護岸ブロックに対向する川床の側面に沿う形状を有する第１側壁とを備えたものである。
【００１２】
このように構成すると、根固用ブロックを設置するだけで、断面視において根固め部分が塞がれる。
【００１３】
請求項２記載の発明は、請求項１記載の発明の構成において、控壁に接続され、側面に対向する護岸ブロックの外面に沿う形状を有する第２側壁を更に備えたものである。
【００１４】
このように構成すると、根固用ブロックは護岸ブロックに対して面で接する。
【００１５】
請求項３記載の発明は、請求項１又は請求項２記載の発明の構成において、控壁は、一対設けられるものである。
【００１６】
このように構成すると、根固用ブロックの強度が向上する。
【００１７】
請求項４記載の発明は、請求項１から請求項３のいずれかに記載の発明の構成において、根固用ブロックを構成する部分には、貫通穴が形成されるものである。
【００１８】
このように構成すると、魚類等の水中生物が生息しやすくなる。
【００１９】
請求項５記載の発明は、請求項１から請求項４のいずれかに記載の発明の構成において、第１側壁の上辺の一部が切り欠かれるものである。
【００２０】
このように構成すると、魚類等の水中生物が生息しやすくなる。
【発明の効果】
【００２７】
以上説明したように、請求項１記載の発明は、根固用ブロックを設置するだけで、断面視において根固め部分が塞がれるため、施工効率が向上し、根固め効果の信頼性が向上する。
【００２８】
請求項２記載の発明は、請求項１記載の発明の効果に加えて、根固用ブロックは護岸ブロックに対して面で接するため、設置状態がより安定する。
【００２９】
請求項３記載の発明は、請求項１又は請求項２記載の発明の効果に加えて、根固用ブロックの強度が向上するため、設置状態の信頼性が向上する。
【００３０】
請求項４記載の発明は、請求項１から請求項３のいずれかに記載の発明の効果に加えて、魚類等の水中生物が生息しやすくなるため、環境にやさしい構造となる。
【００３１】
請求項５記載の発明は、請求項１から請求項４のいずれかに記載の発明の効果に加えて、魚類等の水中生物が生息しやすくなるため、環境にやさしい構造となる。
【図面の簡単な説明】
【００３５】
【図１】この発明の第１の実施の形態による根固用ブロックを用いた河川護岸を示す概略断面図である。
【図２】図１で示した根固用ブロックの斜視図である。
【図３】図１で示した根固用ブロックを長手方向に複数並べた斜視図である。
【図４】図１で示した根固用ブロックを用いた河川護岸工事の根固め方法の手順を示した概略工程図である。
【図５】この発明の第２の実施の形態による根固用ブロックを用いた河川護岸を示す概略断面図である。
【図６】図５で示した根固用ブロックの斜視図である。
【図７】図５で示した根固用ブロックを長手方向に複数並べた斜視図である。
【図８】この発明の第３の実施の形態による根固用ブロックの斜視図である。
【図９】図８で示した根固用ブロックを長手方向に複数並べた斜視図である。
【図１０】第１の根固用ブロック群を用いた河川護岸を示す概略断面図である。
【図１１】第４の実施の形態による根固用ブロックの斜視図である。
【図１２】図１０で示した第１の根固用ブロック群の斜視図である。
【図１３】第２の根固用ブロック群を用いた河川護岸を示す概略断面図である。
【図１４】第５の実施の形態による根固用ブロックの斜視図である。
【図１５】第６の実施の形態による根固用ブロックの斜視図である。
【図１６】図１で示した根固用ブロックを用いた既設河川護岸の根固め方法の手順を示した概略工程図である。
【図１７】従来の河川護岸を示す概略断面図である。
【図１８】従来の他の河川護岸を示す概略断面図である。
【発明を実施するための形態】
【００３６】
図１はこの発明の第１の実施の形態による根固用ブロックを用いた河川護岸を示す概略断面図であり、図２は図１で示した根固用ブロックの斜視図であり、図３は図１で示した根固用ブロックを長手方向に複数並べた斜視図である。
【００３７】
まず、図１を参照して、河川の川床６と川岸７とを掘削したスペースに複数の護岸ブロック２１が設置されている。護岸ブロック２１は上下及び左右（図の紙面を直交する方向）に複数積み重ねるように設置されており、その法尻部には基礎コンクリート３１が基礎砕石や均しコンクリート３２を介して設置されている。又、護岸ブロック２１の後方側には裏打コンクリート２４が設置されており、更に裏打コンクリート２４の後方側には裏込砕石２５が設置されている。そして、護岸ブロック２１と川床６との間の根固め部分には、プレキャストコンクリートよりなる根固用ブロック１０と、根固用ブロック１０の下部に設置された埋戻し土３５とが配置されている。尚、上述した護岸ブロック２１及び根固用ブロック１０等は、河川における両岸又は片岸において設置されている。
【００３８】
次に、根固用ブロック１０の形状について説明する。
【００３９】
図１及び図２を参照して、根固用ブロック１０は、上述した掘削後に残る、護岸ブロック２１と川床６との間の断面が逆台形形状の根固め部分を塞ぐ形状の一対の控壁４１ａ、４１ｂと、控壁４１ａ、４１ｂに接続され、護岸ブロック２１に対向する川床６の側面に沿う形状の第１側壁４２と、控壁４１ａ、４１ｂに接続され、護岸ブロック２１の外面に沿う形状の第２側壁４３とから構成されている。又、控壁４１ａ、４１ｂの各々には、その中央部に貫通穴４６が形成されている。そして、このように形成された根固用ブロック１０は、図１で示す設置状態において、その内部に複数の割石２８が投入されている。
【００４０】
そして、根固用ブロック１０はプレキャストコンクリートによって、このように構成されているため、設置するだけで、図１で示す断面状態において根固め部分全体が塞がれる。従って、施工効率が向上すると共に、その内部に投入された割石２８によって重量的に安定する。又、割石２８は、控壁４１ａ、４１ｂによって長手方向が仕切られているため、不用意に移動する虞が無いので、護岸ブロック２１に対する根固め効果の信頼性が向上する。
【００４１】
又、根固用ブロック１０は第２側壁４３を備えているため、設置状態において護岸ブロック２１に対して面で接することになる。従って、根固用ブロック１０の設置状態がより安定する。
【００４２】
更に、根固用ブロック１０は一対の控壁４１ａ、４１ｂを備えているため、根固用ブロック１０全体の強度が向上する。従って、根固用ブロック１０の設置状態の信頼性が向上する。
【００４３】
更に、控壁４１ａ、４１ｂの中央部には貫通穴４６が形成されているため、魚類等の水中生物が貫通穴４６を通って移動することが出来る。従って、設置状態において魚類等の水中生物が生息しやすくなるため、環境にやさしい構造となる。
【００４４】
次に、図３を参照して、図２で示した根固用ブロック１０ａ〜１０ｃは、図１で示す設置状態においては、長手方向（図１の紙面を直交する方向）に複数並べて設置されている。即ち、根固用ブロック１０ａ〜１０ｃの第１側壁４２ａ〜４２ｃを長手方向に整列させると共に、第２側壁４３ａ〜４３ｃを長手方向に整列させて並べる。すると、河川に応じた長手方向に長い根固め部分においても容易に対応することが出来る。
【００４５】
次に、このような根固用ブロック１０を用いた河川護岸工事の根固め方法について説明する。
【００４６】
図４は図１で示した根固用ブロックを用いた河川護岸工事の根固め方法の手順を示した概略工程図である。
【００４７】
まず（１）を参照して、河川の水を堰き止めた状態で、川床６及び川岸７の斜線で示す部分を掘削する。
【００４８】
次に（２）を参照して、掘削された部分の表面を整形し、下部に基礎砕石や均しコンクリート３２を介して基礎コンクリート３１を設置する。
【００４９】
次に（３）を参照して、基礎コンクリート３１上に護岸ブロック２１ａを自重によって自立するように設置する。そして、設置された護岸ブロック２１ａの後方側に、図示しないスペーサーを介して型枠２９ａを設置し、更にその後方側に裏込砕石２５ａを護岸ブロック２１ａの高さの半分の位置まで投入して転圧する。その後、護岸ブロック２１ａと型枠２９ａとの間のスペースに裏打コンクリート２４ａを裏込砕石２５ａの高さまで投入し、裏打コンクリート２４ａが硬化する前に型枠２９ａを取り外す。
【００５０】
次に（４）を参照して、裏打コンクリート２４ａが硬化した後、護岸ブロック２１ａ上に護岸ブロック２１ｂを自重によって自立するように設置する。その後、護岸ブロック２１ａと同様に、護岸ブロック２１ｂの後方側に型枠２９ｂを設置し、更にその後方側に裏込砕石２５ｂを護岸ブロック２１ｂの高さの半分の位置まで投入して転圧する。その後、護岸ブロック２１ａ、２１ｂと型枠２９ｂとの間のスペースに裏打コンクリート２４ｂを裏込砕石２５ｂの高さまで投入し、型枠２９ｂを取り外して裏打コンクリート２４ｂを硬化させる。
【００５１】
次に（５）を参照して、護岸ブロック２１ａ、２１ｂが設置された途中の状態で、掘削された川床６と護岸ブロック２１ａ、２１ｂとの間の断面が逆台形断面形状の根固め部分の下方部分に、埋戻し土３５を投入してこれを締固める。その後、埋戻し土３５上の根固め部分に、図１で示したプレキャストコンクリートよりなる根固用ブロック１０を設置する。根固用ブロック１０の形状は、埋戻し土３５を除く逆台形断面形状の根固め部分に合致するため、設置作業は極めて容易となる。
【００５２】
次に（６）を参照して、設置された根固用ブロック１０の内部全体に複数の割石２８を投入する。その後、（４）で示した手順を繰り返すと、護岸ブロック２１が川岸７の上端まで積み上げられる。即ち、図１で示した設置状態となり、河川護岸工事の根固めが完了する。
【００５３】
このように、根固用ブロック１０を設置し、内部に複数の割石２８を投入するだけで根固めが完了するため、河川護岸工事の工期が短縮化されると共に、根固め効果の信頼性が向上する。
【００５４】
図５はこの発明の第２の実施の形態による根固用ブロックを用いた河川護岸を示す概略断面図であり、図６は図５で示した根固用ブロックの斜視図であり、図７は図５で示した根固用ブロックを長手方向に複数並べた斜視図である。
【００５５】
尚、説明に当たっては、基本的には第１の実施の形態によるものと同一であるため、その相違点を中心に説明する。
【００５６】
これらの図を参照して、この実施の形態による根固用ブロック１１にあっては、第２側壁を有していない。そして、設置状態においては、控壁４１ａ、４１ｂにおける第１側壁４２と反対側の部分が護岸ブロック２１に接するように設置されている。そのため、根固め効果に影響を及ぼすこと無く、根固用ブロック１１の全体のコンクリート量が削減されるため、コスト的に有利な根固用ブロック１１となる。
【００５７】
尚、図５で示す設置状態においては、第１の実施の形態と同様に、図７で示すように根固用ブロック１１ａ〜１１ｃが長手方向に整列して並べられている。
【００５８】
図８はこの発明の第３の実施の形態による根固用ブロックの斜視図であり、図９は図８で示した根固用ブロックを長手方向に複数並べた斜視図である。
【００５９】
尚、説明に当たっては、基本的には第１の実施の形態によるものと同一であるため、その相違点を中心に説明する。
【００６０】
これらの図を参照して、この実施の形態による根固用ブロック１２にあっては、第２側壁４４の形状が異なっている。即ち、第２側壁４４は控壁４１ａ、４１ｂの間にのみ設けられている。従って、設置状態においては、第２側壁４４が護岸ブロックに面で接するにも関わらず、図１で示した根固用ブロック１０と比較して、全体のコンクリート量が削減されている。従って、コスト的に有利な根固用ブロック１２となる。
【００６１】
更に、根固用ブロック１２にあっては、第１側壁４２の上辺の一部に切り欠き４８が形成されている。そのため、魚類等の水中生物が切り欠き４８を通って移動することが出来る。従って、魚類等の水中生物が生息しやすくなるため、環境にやさしい構造となる。
【００６２】
尚、設置状態においては、第１の実施の形態と同様に、図９で示すように根固用ブロック１２ａ〜１２ｃが長手方向に整列して並べられている。
【００６３】
図１０は第１の根固用ブロック群を用いた河川護岸を示す概略断面図であり、図１１は第４の実施の形態による根固用ブロックの斜視図であり、図１２は図１０で示した第１の根固用ブロック群の斜視図である。
【００６４】
これらの図を参照して、護岸ブロック２１と川床６との間の根固め部分に設置された根固用ブロック群１８は、根固め部分の護岸ブロック２１側に設置された、第１根固用ブロックである、図８で示した根固用ブロック１２と、根固め部分の川床６側に設置された、第２根固用ブロックである根固用ブロック１３と、根固用ブロック１２と根固用ブロック１３との間に設置された、第３根固用ブロックである根固用ブロック１３と同一形状の根固用ブロック１４とから構成されている。そして、根固用ブロック１２〜１４の各々の内部には割石２８が投入されると共に、各々の下部には埋戻し土３５が締固められた状態で設置されている。
【００６５】
次に、根固用ブロック１３の形状について説明するが、基本的には第２の実施の形態による根固用ブロックと同一であるため、その相違点を中心に説明する。
【００６６】
根固用ブロック１３においては、控壁４１ａ、４１ｂの形状が異なっている。即ち、控壁４１ａ、４１ｂの第１側壁４２側の側辺と、これに対向する側辺とが平行状態となっている。尚、上述した通り、根固用ブロック１４は根固用ブロック１３と同一形状に形成されている。
【００６７】
従って、図１２で示すように、長手方向に整列した根固用ブロック１２ａ〜１２ｃの後方側に根固用ブロック１４ａ〜１４ｃを隙間無く設置することが出来る。更に、根固用ブロック１４ａ〜１４ｃの後方側に根固用ブロック１３ａ〜１３ｃを隙間無く設置することが出来る。
【００６８】
そして、このように設置することによって、根固用ブロック群１８が形成されている。そのため、護岸ブロック２１の設置傾斜が緩いような時に生じる、根固め部分が広い場合であっても、根固用ブロック１２〜１４の各々がコンパクトになる。そのため、根固用ブロック１２〜１４の各々の設置効率が向上すると共に、根固め部分が広い場合でも容易に対応することが出来る。
【００６９】
又、根固用ブロック１２と根固用ブロック１３との間に根固用ブロック１４が設置されているため、根固め部分が更に広い場合でも、根固用ブロック１４を増やすことにより容易に対応することが出来る。そのため、使い勝手が向上する。
【００７０】
図１３は第２の根固用ブロック群を用いた河川護岸を示す概略断面図であり、図１４は第５の実施の形態による根固用ブロックの斜視図であり、図１５は第６の実施の形態による根固用ブロックの斜視図である。
【００７１】
尚、説明に当たっては、根固め部分の形状及び構造以外は第１の根固用ブロック群と同一であるため、その相違点を中心に説明する。
【００７２】
これらの図を参照して、この河川護岸においては、川床６の側面が垂直となるように逆台形断面形状の根固め部分が形成されている。そして、根固用ブロック群１９は、第１根固用ブロックである根固用ブロック１５と、川床６側に設置された第２根固用ブロックである根固用ブロック１６と、根固用ブロック１５と根固用ブロック１６との間に設置された、第３根固用ブロックである、根固用ブロック１６と同一形状の根固用ブロック１７とから構成されている。
【００７３】
ここで、根固用ブロック１５の形状について説明するが、基本的には第３の実施の形態による根固用ブロックと同一であるため、その相違点を中心に説明する。
【００７４】
図１３及び図１４を参照して、根固用ブロック１５においては、第１側壁４２の形状が異なっている。即ち、第１側壁４２が垂直となるように控壁４１ａ、４１ｂに接続されている。
【００７５】
次に、根固用ブロック１６の形状について説明するが、基本的には第５の実施の形態による根固用ブロックと同一であるため、その相違点を中心に説明する。
【００７６】
図１３及び図１５を参照して、根固用ブロック１６においては、第２側壁を有していないと共に、控壁４１ａ、４１ｂの形状が異なっている。即ち、控壁４１ａ、４１ｂが矩形状となるように形成されている。尚、上述した通り、根固用ブロック１７は、根固用ブロック１６と同一形状に形成されている。
【００７７】
そして、このように形成された根固用ブロック１５〜１７を、第１の根固用ブロック群と同様に整列させると、第２の根固用ブロック群１９が形成される。そのため、設置状態においては、図１３で示すような川床６の側面が垂直となるよう根固め部分において、容易に対応することが出来る。
【００７８】
次に、既設の護岸ブロックが設置された河川において、濁流などによって川床が洗掘された場合における本発明による根固用ブロックの利用方法について説明する。
【００７９】
図１６は図１で示した根固用ブロックを用いた既設河川護岸の根固め方法の手順を示した概略工程図である。
【００８０】
まず（１）を参照して、既設の護岸ブロック２１ａ、２１ｂが設置された河川において、二点鎖線で示した従来の川床ラインから川床６１が濁流などによって洗掘された状態となっている。そのため、図で示すように、特に護岸ブロック２１ａの根固め工が必要となる。
【００８１】
次に（２）を参照して、河川の水を堰き止めた状態で、川床６１の護岸ブロック２１ａ側の斜線で示す逆台形状部分を掘削して整地する。その後、掘削された部分に図１で示した根固用ブロック１０を設置し、その内部に図示しない割石を投入する。
【００８２】
次に（３）を参照して、設置された根固用ブロック１０と従来の川床ラインとの間における護岸ブロック２１ａ側に、図示しない型枠を用いてコンクリート６２を打設する。その後、残りの洗掘された部分に土砂６３又は割石などを投入する。すると、既設の護岸ブロック２１ａの根固めが完了すると共に、河川の川床６１が従来のラインの高さまで回復する。
【００８３】
このように、根固用ブロック１０は、既設の護岸ブロック２１ａ、２１ｂに対しても適用出来ると共に、根固め箇所の上部又は下部に適用することが出来る。又、既設の護岸ブロック２１ａ、２１ｂに対して、所謂根継用としての利用が可能となる。
【００８４】
尚、上記の各実施の形態では、護岸ブロックの形状及び設置状態を特定しているが、河川護岸に用いられるものであれば、護岸ブロックは他の形状及び設置状態であっても良い。
【００８５】
又、上記の各実施の形態では、控壁は一対設けられているが、控壁はブロック単体に対して少なくとも１つ設けられていれば良い。
【００８６】
更に、上記の各実施の形態では、控壁には１つの貫通穴が形成されているが、貫通穴は無くても良く、あるいは複数の貫通穴を形成しても良い。又、控壁に限らず、第１側壁又は第２側壁に貫通穴が形成されていても良い。
【００８７】
更に、上記の各実施の形態では、控壁は根固め部分の断面形状に基づいて形成されているが、掘削された川床と護岸ブロックとの間の断面視が逆台形断面形状の根固め部分を塞ぐ形状であれば、他の形状に形成されていても良い。
【００８８】
更に、上記の各実施の形態では、設置状態における根固用ブロックの内部には割石が投入されているが、土砂やコンクリートなどが投入されていても良い。又は、例えば根固用ブロックの下層をコンクリートで構成し、上層を割石や土砂などで構成する組合せとしても良い。そして、根固用ブロック内にコンクリートを投入した場合、根固用ブロックは残存型枠のような役目を果たすことになる。
【００８９】
更に、上記の第１及び第２の根固用ブロック群では、第１根固用ブロックと第２根固用ブロックとの間に第３根固用ブロックが設置されているが、根固め部分の形状によっては、第３根固用ブロックは無くても良く、あるいは２個以上の第３根固用ブロックを設置しても良い。
【符号の説明】
【００９０】
６…川床
７…川岸
１０〜１７…根固用ブロック
１８、１９…根固用ブロック群
２１…護岸ブロック
２８…割石
４１…控壁
４２、５２…第１側壁
４３、４４…第２側壁
４６…貫通穴
尚、各図中同一符号は同一又は相当部分を示す。
【図１】
0005563387.tif 000002
【図２】
0005563387.tif 000003
【図３】
0005563387.tif 000004
【図４】
0005563387.tif 000005
【図５】
0005563387.tif 000006
【図６】
0005563387.tif 000007
【図７】
0005563387.tif 000008
【図８】
0005563387.tif 000009
【図９】
0005563387.tif 000010
【図１０】
0005563387.tif 000011
【図１１】
0005563387.tif 000012
【図１２】
0005563387.tif 000013
【図１３】
0005563387.tif 000014
【図１４】
0005563387.tif 000015
【図１５】
0005563387.tif 000016
【図１６】
0005563387.tif 000017
【図１７】
0005563387.tif 000018
【図１８】
0005563387.tif 000019